(57)【要約】【課題】複数のグループに分割した商品に対して、１回の決済処理で、各グループに対するレシートを発行する。【解決手段】登録処理部（登録手段）が登録した商品を、商品分割部（分割手段）が複数のグループに分割する。そして、決済処理部（決済手段）が商品に対する決済を行う。情報生成部（生成手段）は、決済処理部が決済した結果に基づいて、購入する商品全体の内訳を示す明細票（明細情報）を作成するとともに、商品分割部の分割結果に基づいて、分割されたグループ毎の商品の内訳を示すレシート（レシート情報）を生成する。【選択図】図３
2019040443.tif 000002
【特許請求の範囲】
【請求項１】
購入する商品を登録する登録手段と、
前記登録手段が登録した商品を複数のグループに分割する分割手段と、
前記商品に対する決済を行う決済手段と、
前記決済手段が決済した結果に基づいて、購入した前記商品全体の内訳を示す明細情報および前記グループ毎の商品の内訳を示すレシート情報を生成する生成手段と、
前記明細情報および前記グループ毎のレシート情報をそれぞれ印字する印字手段と、
を備える商品販売データ処理装置。
【請求項２】
前記生成手段は、前記グループ毎のレシート情報に、それぞれ異なる取引番号を付与する
ことを特徴とする請求項１に記載の商品販売データ処理装置。
【請求項３】
前記生成手段は、前記明細情報および前記グループ毎のレシート情報に、それぞれ、商品の名称と当該商品の価格とを付与する
ことを特徴とする請求項１または請求項２に記載の商品販売データ処理装置。
【請求項４】
前記生成手段は、前記明細情報に付与する、購入した全商品に対する消費税額を、前記グループ毎のレシート情報に付与する、各グループの商品に対する消費税額の合計値と等しくなるように案分する
ことを特徴とする請求項１から請求項３のいずれか１項に記載の商品販売データ処理装置。
【請求項５】
前記生成手段は、購入した全商品の消費税額に対する、前記各グループの商品の消費税額の合計値の不足額を、前記グループのうち、予め決めたグループの消費税額に加算することによって消費税額を案分する
ことを特徴とする請求項４に記載の商品販売データ処理装置。
【請求項６】
コンピュータに対して、
購入する商品を登録する登録手段と、
前記登録手段が登録した商品を複数のグループに分割する分割手段と、
前記商品に対する決済を行う決済手段と、
前記決済手段が決済した結果に基づいて、購入した前記商品全体の内訳を示す明細情報および前記グループ毎の商品の内訳を示すレシート情報を生成する生成手段と、
前記明細情報および前記グループ毎のレシート情報をそれぞれ印字する印字手段と、
を実行させるためのプログラム。
【発明の詳細な説明】
【技術分野】
【０００１】
本発明の実施の形態は、商品販売データ処理装置およびプログラムに関する。
【背景技術】
【０００２】
従来、ＰＯＳ（Point  Of  Sales）端末を備える店舗では、購入した商品の商品コードを登録して、登録された情報に基づいて決済を行っていた。最近では、購入した商品を客が指定したグループに分割して、分割されたグループ毎に決済を行い、グループ毎に分割してレシートを発行する機能を備えたＰＯＳ端末が紹介されている（例えば、特許文献１）。このようなレシートの分割は、例えば、複数人で買い物を行って、代表者がまとめて決済した後で、各人に商品を分割して代金を精算する場合等に行われる。
【０００３】
しかしながら、このようなレシートの分割発行機能を備えたＰＯＳ端末にあっては、分割されたグループ毎に清算用レシートを発行して、発行された精算用レシート毎に決済処理を行っていた。したがって、決済処理を複数回行わなければならないため、決済に時間がかかるという問題があった。
【発明の概要】
【発明が解決しようとする課題】
【０００４】
本発明が解決しようとする課題は、複数のグループに分割した商品に対して、１回の決済処理で、各グループに対するレシートを発行することが可能な商品販売データ処理装置およびプログラムを提供することである。
【課題を解決するための手段】
【０００５】
実施の形態の商品販売データ処理装置は、登録手段と、分割手段と、決済手段と、生成手段と、印字手段とを備える。登録手段は、購入する商品を登録する。分割手段は、登録手段が登録した商品を複数のグループに分割する。決済手段は、商品に対する決済を行う。生成手段は、決済手段が決済した結果に基づいて、購入した商品全体の内訳を示す明細情報およびグループ毎の商品の内訳を示すレシート情報を生成する。印字手段は、明細情報およびグループ毎のレシート情報をそれぞれ印字する。
【図面の簡単な説明】
【０００６】
【図１】図１は、商品販売データ処理装置の一例であるＰＯＳ端末装置の外観斜視図である。
【図２】図２は、ＰＯＳ端末装置のハードウェア構成の一例を示すハードウェアブロック図である。
【図３】図３は、ＰＯＳ端末装置の機能構成の一例を示す機能ブロック図である。
【図４】図４は、購入する商品の分割処理について説明する図である。
【図５】図５は、ＰＯＳ端末装置が発行する明細票とレシートの一例を示す図である。
【図６】図６は、ＰＯＳ端末装置が行う消費税額の案分処理について説明する図である。
【図７】図７は、ＰＯＳ端末装置が行う決済処理の流れの一例を示すシーケンス図である。
【図８】図８は、ＰＯＳ端末装置が行う処理の流れの一例を示すフローチャートである。
【発明を実施するための形態】
【０００７】
（ＰＯＳ端末装置の概略構成の説明）
図１は、商品販売データ処理装置の一例であるＰＯＳ端末装置１の外観斜視図である。ＰＯＳ端末装置１は、例えばスーパーマーケット等の店舗に設置されて、顧客が購入した商品の商品情報を登録する登録処理と、登録処理によって登録された商品の決済処理を行う。なお、ＰＯＳ端末装置１は、商品販売データ処理装置の一例である。
【０００８】
ＰＯＳ端末装置１は、ドロワ２の上に載置されて用いられる。ドロワ２は、現金等を収納する引出し３を備えている。ＰＯＳ端末装置１は、引出し３の開閉動作を制御する。
【０００９】
ＰＯＳ端末装置１は、キーボード４と、キャッシャ用表示操作部５と、レシートプリンタ６と、客用表示部７と、バーコードリーダ１０とを備えている。
【００１０】
ユーザインタフェースであるキーボード４およびキャッシャ用表示操作部５は、ＰＯＳ端末装置１の上面に、キーボード４が手前側、キャッシャ用表示操作部５が奥側に配されている。
【００１１】
キーボード４は、入力装置の一部であり、置数キー、クリアキー、戻りキー、小計キー、締めキーなどの複数のキーを備えている。置数キーは、商品コードや金額等の数値を入力するためのテンキーである。クリアキーは、エラー発生時などに操作を取り消すためのキーである。戻りキーは、現在の操作をキャンセルして直前の画面に戻すためのキーである。小計キーは、売上登録を完了して売上合計金額の算出を宣言するためのキーである。締めキーは、入力された内容を確定して決済処理（会計処理）を行う場合に押下するキーである。
【００１２】
キャッシャ用表示操作部５は、例えばＬＣＤ（Liquid  Crystal  Display）等の表示デバイス５ａと、当該表示デバイス５ａの表面に積層されたタッチパネル５ｂとを備えている。表示デバイス５ａは、キャッシャに対して、登録処理および決済処理等の処理状態に応じた画面を表示する。タッチパネル５ｂは、表示デバイス５ａに表示された画面、またはボタン等に対するキャッシャの押下を検出して、押下された位置に応じて、ＰＯＳ端末装置１の動作を制御する。
【００１３】
レシートプリンタ６は、ＰＯＳ端末装置１の上面左側に配されて、顧客に手渡す明細票およびレシート（領収証）を印字する。またレシートプリンタ６は、発行口６ａを備えて、印字した明細票およびレシートを発行する。このレシートプリンタ６は、内部に設置したロール紙６ｂを、パルスモータ（非図示）等によって回転駆動されるローラにより搬送することによって、発行口６ａから送り出す方向に紙送りする。このとき、レシートプリンタ６は、例えばサーマルヘッド（非図示）によってロール紙６ｂに明細票およびレシートを印字する。なお、明細票に印字するデータである明細情報と、レシートに印字するデータであるレシート情報と、は後述するＣＰＵ２１（図２参照）が生成して、レシートプリンタ６に送信される。
【００１４】
客用表示部７は、ＬＣＤ等の表示デバイス７ａ（図２参照）で構成されており、ＰＯＳ端末装置１の上面奥側に設けられている。客用表示部７は、表示面を客に向けて配置され、登録した商品の金額、合計金額、レシートを分割発行する際に商品を複数のグループに分割した結果等を表示する。
【００１５】
さらに、ＰＯＳ端末装置１には、商品に貼付されたバーコードから、当該バーコードが保持するコードデータを読み取るバーコードリーダ１０が接続されている。バーコードリーダ１０は、コードデータの受光信号をデコード（復号）して、バーコードが表現しているコードデータ（商品を特定する商品コード）を取得し、ＰＯＳ端末装置１のＣＰＵ２１（図２参照）に出力する。
【００１６】
（ＰＯＳ端末装置のハードウェア構成の説明）
次に、図２を用いて、ＰＯＳ端末装置１のハードウェア構成について説明する。図２は、ＰＯＳ端末装置１のハードウェア構成の一例を示すハードウェアブロック図である。図２に示すように、ＰＯＳ端末装置１は、各部を制御するための制御部２０を備える。制御部２０は、ＣＰＵ（Central  Processing  Unit）２１と、ＲＯＭ（Read  Only  Memory）２２と、ＲＡＭ（Random  Access  Memory）２３とを備える、一般的なコンピュータの構成を有する。ＣＰＵ２１は、ＲＯＭ２２や記憶部３０に記憶された各種プログラムを、ＲＡＭ２３に展開する。ＣＰＵ２１は、ＲＡＭ２３に展開された各種プログラムに従って動作して、ＰＯＳ端末装置１の全体の制御を司る。
【００１７】
制御部２０は、バスライン３２を介して、記憶部３０と、Ｉ／Ｏ機器コントローラ３４と、通信インタフェース３６と接続する。
【００１８】
記憶部３０は、電源を切っても記憶情報が保持されるフラッシュメモリ等の不揮発性メモリである。記憶部３０は、制御プログラムＰ１を含むプログラム等を記憶する。制御プログラムＰ１は、ＰＯＳ端末装置１が備える機能を発揮させるためのプログラムである。また、記憶部３０は、商品マスタファイルＦ１と、売上ファイルＦ２を記憶する。
【００１９】
商品マスタファイルＦ１は、商品コードと商品の名称、商品の価格等とを対応付けて記憶したマスタファイルである。商品マスタファイルＦ１の内容は日々更新されるため、通信インタフェース３６を介して、店舗サーバ９０から定期的に受信する。
【００２０】
売上ファイルＦ２は、ＰＯＳ端末装置１が決済処理を行った結果を、売上履歴として記憶したファイルである。売上ファイルＦ２は、毎日営業終了後等の決まった時間に、通信インタフェース３６を介して、店舗サーバ９０に送信される。送信された売上ファイルＦ２は、店舗サーバ９０において、店舗の売上管理を行う際に使用される。また、売上ファイルＦ２は、顧客が商品の返品や交換を要求した際に、顧客が所持しているレシートに記録された取引番号と照合することによって、当該顧客の購入物であることを確認する際に使用される。
【００２１】
Ｉ／Ｏ機器コントローラ３４は、制御部２０と、各種周辺機器、すなわち、表示デバイス５ａと、タッチパネル５ｂと、キーボード４と、表示デバイス７ａと、レシートプリンタ６と、ドロワ２と、バーコードリーダ１０とを接続する。Ｉ／Ｏ機器コントローラ３４は、制御部２０からの指令に基づいて、接続された各周辺機器を制御する。なお、各周辺機器の機能は、前記した通りである。
【００２２】
通信インタフェース３６は、店舗内ＬＡＮ（Local  Area  Network）等のネットワークを介して、店舗サーバ９０と通信するためのインタフェースである。具体的には、ＰＯＳ端末装置１の制御部２０は、通信インタフェース３６を介して店舗サーバ９０と通信を行い、店舗サーバ９０に格納されている商品マスタファイルＦ１等を受信する。また、ＰＯＳ端末装置１の制御部２０は、通信インタフェース３６を介して、売上ファイルＦ２を店舗サーバ９０に送信する。
【００２３】
（ＰＯＳ端末装置の機能構成の説明）
次に、ＰＯＳ端末装置１の機能構成について説明する。図３は、ＰＯＳ端末装置１の機能構成の一例を示す機能ブロック図である。制御部２０のＣＰＵ２１は、記憶部３０の制御プログラムＰ１をＲＡＭ２３に展開する。制御部２０は、制御プログラムＰ１に従って動作することで、図３に示す各機能部をＲＡＭ２３上に生成する。具体的には、制御部２０は、機能部として、登録処理部５０と、商品分割部５２と、決済処理部５４と、情報生成部５６と、印字処理部５８と、取引結果記憶部６０とを実現する。
【００２４】
登録処理部５０は、顧客が購入する商品の商品コード、数量等を登録する。なお、登録処理部５０は、登録手段の一例である。
【００２５】
商品分割部５２は、顧客がレシートの分割発行を要望した際に、顧客が購入する商品を複数のグループに分割する。なお、商品分割部５２は、分割手段の一例である。
【００２６】
決済処理部５４は、登録処理部５０が登録した商品の決済処理を行う。なお、決済処理部５４は、決済手段の一例である。
【００２７】
情報生成部５６は、決済処理部５４が決済した結果に基づいて、商品の明細情報（明細票）および商品分割部５２が分割したグループ毎のレシート情報を生成する。なお、情報生成部５６は、生成手段の一例である。
【００２８】
印字処理部５８は、商品の明細情報およびグループ毎のレシート情報をそれぞれ印字する。なお、印字処理部５８は、印字手段の一例である。
【００２９】
取引結果記憶部６０は、決済処理部５４が決済処理を行った結果を記憶する。
【００３０】
（分割処理の説明）
次に、図４を用いて、顧客がレシートの分割発行を要望した際に、商品分割部５２が行う、顧客が購入した商品を複数のグループに分割する処理（以下、分割処理と呼ぶ）について説明する。
【００３１】
図４は、購入する商品の分割処理について説明する図である。特に、図４は、顧客が購入する商品の一覧を表示デバイス５ａに表示して、キャッシャが顧客の要望を聞いて、レシートを分割して発行する商品を選択する様子を示している。
【００３２】
このとき、表示デバイス５ａには、登録処理部５０が登録を行った商品一覧表Ｔｂが表示される。商品一覧表Ｔｂは、図４に示すように、商品を登録した順に商品番号を付与した番号欄Ｃ１と、商品名称欄Ｃ２と、単価欄Ｃ３と、購入点数欄Ｃ４と、金額欄Ｃ５を含む。また、表示デバイス５ａには、分割ボタンＢ１と、会計ボタンＢ２と、前頁ボタンＢ３と、次頁ボタンＢ４が、それぞれ表示される。さらに、表示デバイス５ａには、買上点数欄Ｃ６と、合計金額欄Ｃ７が表示される。なお、客用表示部７にも、商品一覧表Ｔｂが表示される。したがって、顧客も商品一覧表Ｔｂの内容を確認することができる。
【００３３】
分割ボタンＢ１は、キャッシャが、レシートを分割発行する商品を選択した後で押下することにより、レシートを分割発行することを確定する。
【００３４】
会計ボタンＢ２は、決済処理の実行を指示するボタンである。キャッシャが、レシートの分割発行が確定した後で、会計ボタンＢ２を押下すると、ＰＯＳ端末装置１は、決済処理とレシートの分割発行処理を実行する。
【００３５】
前頁ボタンＢ３と次頁ボタンＢ４は、商品一覧表Ｔｂのページ戻しまたはページ送りを指示するボタンである。すなわち、図４の状態であるときに、キャッシャが次頁ボタンＢ４を押下すると、商品一覧表Ｔｂには、商品Ｎｏ．０６以降の商品が表示される。なお、図４の商品一覧表Ｔｂは、３ページに亘る商品一覧表Ｔｂの１ページ目が表示された状態を示している。このように、商品一覧表Ｔｂの１ページ目を表示している際には、それよりも前ページは存在しないため、前頁ボタンＢ３にハッチングを付して、ページ戻し操作を受け付けないようにしてもよい。同様に、図４において商品一覧表Ｔｂの最終ページである３ページ目を表示している際には、次頁ボタンＢ４にハッチングを付して、ページ送り操作を受け付けないようにしてもよい。
【００３６】
顧客は、客用表示部７に表示された商品一覧表Ｔｂを見ながら、レシートの分割発行を要望する商品番号または商品名をキャッシャに伝達する。キャッシャは、顧客の要望を聞いて、該当する商品の番号欄Ｃ１に表示された商品番号を押下する。
【００３７】
番号欄Ｃ１に表示された商品番号を押下すると、押下された商品が選択される。当該商品が選択されたことは、番号欄Ｃ１にハッチングＨを付与することによって、キャッシャおよび顧客に伝達される。図４は、商品Ｎｏ．０２の商品、および商品Ｎо．０４の商品が選択されたことを示す。なお、番号欄Ｃ１に表示された商品番号を押下することで商品を選択するとしたが、これに限定する必要はなく、例えば、商品名称欄Ｃ２に表示された商品名を押下することで商品を選択してもよい。この場合は、当該商品が選択されたことを、番号欄Ｃ１、商品名称欄Ｃ２の両方にハッチングＨを付与して伝達してもよいし、何れか一方にハッチングＨを付与するだけでもよい。
【００３８】
図４の状態、すなわち、商品Ｎｏ．０２および商品Ｎо．０４の商品が選択された状態で、キャッシャが分割ボタンＢ１を押下すると、商品Ｎｏ．０２および商品Ｎо．０４の商品は、他の商品とはレシートを分割して発行することが確定する。
【００３９】
登録した商品の点数が多い場合は、図４に示す表が複数ページに亘る。その場合には、キャッシャは、次頁ボタンＢ４および前頁ボタンＢ３を押下して、ページ送り、ページ戻しを行う。そして、各ページにおいて、レシートを分割発行する商品の選択を行う。なお、分割ボタンＢ１は、各ページで商品の選択が完了する毎に押下してもよいし、全ページに亘って商品の選択が完了した際に押下してもよい。
【００４０】
なお、ここでは、商品を２つのグループに分割する例について説明したが、分割数は２に限定されるものではない。すなわち、商品は３分割以上に分割してもよい。その場合、図４の画面は、２分割を前提としたＧＵＩ（Graphical  User  Interface）画面であるため、３分割以上の分割を行うＧＵＩ画面を適用すればよい。
【００４１】
例えば、画面内に分割数を指定するボタン（不図示）を設置して、当該ボタンによって、例えば分割数「３」を指定した後で、ＰＯＳ端末装置１が顧客に対して、「第２グループの商品を選択して下さい」のメッセージを表示して、第２グループの商品を選択させる。商品の選択は、前記した通り、番号欄Ｃ１を選択した後で分割ボタンＢ１を押下すればよい。第２グループの商品の選択が確定した後、ＰＯＳ端末装置１は、「第３グループの商品を選択して下さい」のメッセージを表示して、第３グループの商品を選択させる。そして、第３グループの商品の選択が確定すると、ＰＯＳ端末装置１は、商品の分割を完了する。
【００４２】
（ＰＯＳ端末装置が発行する明細票およびレシートの説明）
次に、図５を用いて、ＰＯＳ端末装置１が発行する明細票およびレシートについて説明する。図５は、ＰＯＳ端末装置１が発行する明細票とレシートの一例を示す図である。
【００４３】
まず、図５（ａ）に示す明細票７０の内容について説明する。明細票７０は、商品の明細情報を表す。図５（ａ）に示すように、明細票７０（明細情報）は、購入した全ての商品の内訳を示す情報を含む。すなわち、明細票７０は、店名７１と、決済日時７２と、商品名７３と、単価７４と、数量７５と、金額７６と、小計７７と、合計７８と、消費税額７９と、支払額８０と、釣銭額８１を含む。
【００４４】
明細票７０には、ＰＯＳ端末装置１が決済処理を行った全ての商品について、商品名７３と、単価７４と、数量７５と、金額７６とが印字される。すなわち、図５（ａ）の例は、４種類の商品を購入したことを示す。小計７７は、商品の金額７６の合計値である。合計７８は、金額７６に消費税を加算した額である。消費税額７９は、合計７８のうちの消費税額を示す。また、明細票７０には、顧客の支払額８０と釣銭額８１とが印字される。
【００４５】
次に、図５（ｂ）と図５（ｃ）は、分割発行されたレシート７０ａ，７０ｂの一例を示す。なお、本実施の形態では、明細票７０に印字された商品のうち、商品×××と商品□□□について、レシートの分割発行を行うものとする。すなわち、レシート７０ａは、購入した全商品の中から、商品×××と商品□□□とを除いた、商品○○○と商品△△△を購入したことを示すレシートである。また、レシート７０ｂは、レシートの分割発行を指示した商品である、商品×××と商品□□□を購入したことを示すレシートである。
【００４６】
レシート７０ａ，７０ｂ（レシート情報）は、分割されたグループ毎の商品の内訳を含む。すなわち、レシート７０ａは、店名９１ａと、決済日時９２ａと、取引番号９３ａと、商品名９４ａと、単価９５ａと、数量９６ａと、金額９７ａと、小計９８ａと、合計９９ａと、消費税額１００ａを含む。
【００４７】
また、レシート７０ｂは、店名９１ｂと、決済日時９２ｂと、取引番号９３ｂと、商品名９４ｂと、単価９５ｂと、数量９６ｂと、金額９７ｂと、小計９８ｂと、合計９９ｂと、消費税額１００ｂを含む。
【００４８】
取引番号９３ａ，９３ｂは、それぞれ、レシート７０ａ，７０ｂを一意に特定する識別番号である。図５（ｂ），図５（ｃ）の例では、取引番号９３ａ，９３ｂとして通し番号を付与している。しかし、取引番号９３ａ，９３ｂは通し番号に限定する必要はなく、ランダムな番号を付与してもよいし、枝番を付与してもよい。枝番を付与する場合は、例えば、レシート７０ａの取引番号９３ａを１２３４５６−１として、レシート７０ｂの取引番号９３ｂを１２３４５６−２としてもよい。購入した商品を返品する必要性が生じた場合、店舗において、ＰＯＳ端末装置１は、顧客が持参したレシート７０ａ（７０ｂ）の取引番号９３ａ（９３ｂ）を読み取って、当該顧客が購入した商品の内容を特定して、返品条件に合致していた場合には返品に応じる。
【００４９】
明細票７０に印字された消費税額７９は、レシート７０ａに印字された消費税額１００ａと、レシート７０ｂに印字された消費税額１００ｂとの合算値となる。しかし、消費税の算出を行う際には、例えば、小数点以下切り捨て、小数点以下四捨五入等、店舗毎に定められた算出規則が適用されている。そのため、場合によっては、明細票７０に印字された消費税額７９と、レシート７０ａに印字された消費税額１００ａとレシート７０ｂに印字された消費税額１００ｂとの合算値と、が一致しない場合が生じる。そのため、ＰＯＳ端末装置１の情報生成部５６は、明細票７０に印字する消費税額７９を、レシート７０ａに印字する消費税額１００ａとレシート７０ｂに印字する消費税額１００ｂとに案分する消費税額の案分処理を行う。詳しくは後述する。
【００５０】
また、レシート７０ａ，７０ｂには、支払額８０と釣銭額８１とは印字しない。これは、顧客は、決済時に代金を一括して支払うため、レシート７０ａ，７０ｂに印字された商品毎の支払額を特定できないためである。
【００５１】
（消費税額の案分処理の説明）
次に、ＰＯＳ端末装置１の情報生成部５６が行う消費税額の案分処理について説明する。図６は、ＰＯＳ端末装置１が行う消費税額の案分処理について説明する図である。
【００５２】
図６に示す商品一覧表Ｔ１は、ＰＯＳ端末装置１が決済処理を行った商品の一覧を示す。また、商品一覧表Ｔ２，Ｔ３は、レシートを分割発行するために、グループ分けした各グループに属する商品の一覧を示す。すなわち、商品一覧表Ｔ２に示す商品○○，商品×△のグループで１枚のレシートを発行して、商品一覧表Ｔ３に示す商品○×で１枚のレシートを発行することを示す。
【００５３】
ＰＯＳ端末装置１は、商品一覧表Ｔ１，Ｔ２，Ｔ３に記載された商品の金額に基づいて、消費税額を算出する。すなわち、商品一覧表Ｔ１に記載された全商品に対して、税込合計金額Ｑ１が７４７円と算出される。
【００５４】
また、商品一覧表Ｔ２に記載された全商品に対して、税込合計金額Ｑ２が５３３円と算出される。そして、商品一覧表Ｔ３に記載された全商品に対して、税込合計金額Ｑ３が２１３円と算出される。
【００５５】
ここで、税込合計金額Ｑ２と税込合計金額Ｑ３を合算すると７４６円となる。この値は、税込合計金額Ｑ１と一致しない。これは、消費税の算出の際に、小数点以下の値を切り捨てているためである。
【００５６】
ＰＯＳ端末装置１の情報生成部５６は、税込合計金額Ｑ２と税込合計金額Ｑ３の合算値が、税込合計金額Ｑ１と一致するように、税込合計金額Ｑ１を税込合計金額Ｑ２と税込合計金額Ｑ３とに案分する。具体的には、税込合計金額Ｑ１に対する、税込合計金額Ｑ２と税込合計金額Ｑ３の合算値の不足額を、税込合計金額Ｑ２または税込合計金額Ｑ３に加算する。なお、不足額を税込合計金額Ｑ２または税込合計金額Ｑ３のいずれに加算するかは、情報生成部５６が予め設定しておけばよい。本実施の形態では、不足額（本例の場合は１円）を税込合計金額Ｑ２に加算して、案分後税込合計金額Ｑ４にするものとする。
【００５７】
この案分処理によって、情報生成部５６は、商品一覧表Ｔ２に含まれる商品に対する案分後税込合計金額Ｑ４を５３４円とする。この案分処理によって、案分後税込合計金額Ｑ４と税込合計金額Ｑ３の合算値が、税込合計金額Ｑ１と一致する。
【００５８】
（ＰＯＳ端末装置が行う決済処理のシーケンスの説明）
次に、図７を用いて、ＰＯＳ端末装置１が行う決済処理の流れを、キャッシャおよび顧客の操作（動作）の観点から説明する。図７は、ＰＯＳ端末装置１が行う決済処理の流れの一例を示すシーケンス図である。
【００５９】
顧客は、購入する商品をキャッシャに渡して、キャッシャに対して会計を依頼する（動作Ｂ１）。キャッシャは、顧客が購入する商品をＰＯＳ端末装置１に登録する（動作Ｂ２）。
【００６０】
キャッシャ用表示操作部５の表示デバイス５ａに、登録した商品の商品一覧表Ｔｂが表示される（イベントＥ１）。商品一覧表Ｔｂは、客用表示部７にも表示される（イベントＥ２）。
【００６１】
キャッシャは、顧客に対して、レシートの分割希望の有無を確認する（動作Ｂ３）。そして、顧客は、キャッシャに対して、レシートを分割する商品を伝達する（動作Ｂ４）。
【００６２】
キャッシャは、顧客の指示を受けて、商品一覧表Ｔｂの中でレシートを分割する商品を選択する（動作Ｂ５）。
【００６３】
キャッシャ用表示操作部５の表示デバイス５ａに、商品一覧表Ｔｂの中に、分割する商品の選択結果が表示される（イベントＥ３）。分割する商品の選択結果は、客用表示部７にも表示される（イベントＥ４）。
【００６４】
顧客は、購入する商品の代金をキャッシャに支払う（動作Ｂ６）。キャッシャは、顧客からの代金の支払いを受けて、レシートプリンタ６に明細票およびレシートの発行を指示する（動作Ｂ７）。
【００６５】
レシートプリンタ６は、明細票およびレシートを印字して発行する（イベントＥ５）。
【００６６】
キャッシャは、釣銭とともに、発行された明細票７０およびレシート７０ａ，７０ｂを顧客に手渡す（動作Ｂ８）。これによって、取引が完了する。
【００６７】
（ＰＯＳ端末装置が行う処理の流れの説明）
次に、図８を用いて、ＰＯＳ端末装置１が行う処理の流れを、ＰＯＳ端末装置１が行う処理の観点から説明する。図８は、ＰＯＳ端末装置１が行う処理の流れの一例を示すフローチャートである。
【００６８】
登録処理部５０は、顧客が購入する商品を登録する登録処理を行う（ステップＳ１０）。
【００６９】
商品分割部５２は、顧客が購入する商品を複数のグループに分割する（ステップＳ１２）。
【００７０】
決済処理部５４は、決済処理を行う（ステップＳ１４）。なお、この決済処理は、商品分割部５２が分割したグループ毎に行うのではなく、全商品に対する決済処理を一括して行う。
【００７１】
情報生成部５６は、消費税額の案分処理を行う（ステップＳ１６）。
【００７２】
情報生成部５６は、さらに、明細情報とレシート情報を生成する（ステップＳ１８）。
【００７３】
印字処理部５８は、明細情報とレシート情報を、それぞれレシートプリンタ６で印字する（ステップＳ２０）。そして、印字処理部５８は、印字した明細票とレシートを発行する（ステップＳ２２）。
【００７４】
制御部２０は記憶部３０を制御することによって、売上ファイルＦ２を更新する（ステップＳ２４）。そして、ＰＯＳ端末装置１は、図８の一連の処理を終了する。
【００７５】
以上説明したように、実施の形態のＰＯＳ端末装置１（商品販売データ処理装置）によれば、登録処理部５０（登録手段）が登録した商品を、商品分割部５２（分割手段）が複数のグループに分割する。そして、決済処理部５４（決済手段）が商品に対する決済を行う。情報生成部５６（生成手段）は、決済処理部５４が決済した結果に基づいて、購入した商品全体の内訳を示す明細票７０（明細情報）を作成するとともに、商品分割部５２の分割結果に基づいて、分割されたグループ毎の商品の内訳を示すレシート７０ａ，７０ｂ（レシート情報）を生成する。したがって、１回の決済処理で、各グループに対するレシートを発行することができる。
【００７６】
また、実施の形態のＰＯＳ端末装置１において、情報生成部５６は、グループ毎のレシート７０ａ，７０ｂに、それぞれ異なる取引番号９３ａ，９３ｂを付与する。したがって、分割したレシート７０ａ，７０ｂを発行した場合であっても、商品の購入後に購入履歴を照会することができるため、購入した商品の返品が可能となる。
【００７７】
そして、実施の形態のＰＯＳ端末装置１において、情報生成部５６は、明細票７０にのみ、顧客の支払額８０および釣銭額８１を付与する。したがって、レシート７０ａ，７０ｂに印字する情報量を削減することができるため、ロール紙６ｂの消費量を抑制することができる。
【００７８】
さらに、実施の形態のＰＯＳ端末装置１において、情報生成部５６は、明細票７０に付与する、購入した全商品に対する消費税額を、グループ毎のレシート７０ａ，７０ｂにそれぞれ付与する、各グループの商品に対する消費税額の合計値と等しくなるように案分する。したがって、明細票７０に印字された税込合計金額Ｑ１と、分割した各レシート７０ａ，７０ｂにそれぞれ印字された税込合計金額Ｑ４，Ｑ３の加算額とを一致させることができるため、分割して発行したレシート７０ａ，７０ｂの信頼を損なうことがない。
【００７９】
また、実施の形態のＰＯＳ端末装置１において、情報生成部５６は、購入した全商品の消費税額に対する、各グループの商品の消費税額の合計値の不足額を、予め決めたグループの消費税額に加算することによって消費税額を案分する。したがって、簡単な処理で消費税額を案分することができる。
【００８０】
本発明の実施の形態を説明したが、これらの実施の形態は、いずれも例示であり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【００８１】
１    ＰＯＳ端末装置（商品販売データ処理装置）
５    キャッシャ用表示操作部
６    レシートプリンタ
７    客用表示部
５０    登録処理部（登録手段）
５２    商品分割部（分割手段）
５４    決済処理部（決済手段）
５６    情報生成部（生成手段）
５８    印字処理部（印字手段）
７０    明細票（明細情報）
７０ａ，７０ｂ    レシート（レシート情報）
８０    支払額
８１    釣銭額
９３ａ，９３ｂ    取引番号
Ｐ１    制御プログラム
【先行技術文献】
【特許文献】
【００８２】
【特許文献１】特開２０１３−１６４７９９号公報
【図１】
2019040443.tif 000003
【図２】
2019040443.tif 000004
【図３】
2019040443.tif 000005
【図４】
2019040443.tif 000006
【図５】
2019040443.tif 000007
【図６】
2019040443.tif 000008
【図７】
2019040443.tif 000009
【図８】
2019040443.tif 000010